【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
イソシアネート反応性成分であって、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を含んでなり、
該イソシアネート反応性成分は、約−１０℃〜約６０℃の温度で少なくとも約３日間保存安定性である、
イソシアネート反応性成分。
【請求項２】
植物油は、ヒマワリ油、菜種油、亜麻仁油、綿実油、キリ油、ヤシ油、ケシ油、トウモロコシ油、ヒマシ油、ピーナッツ油および大豆油から選択される、請求項１に記載のイソシアネート反応性成分。
【請求項３】
植物油は大豆油である、請求項１に記載のイソシアネート反応性成分。
【請求項４】
イソシアネート反応性成分の重量に基づいて少なくとも約３０重量％〜約４０重量％の植物油系ポリオールを含んでなる、請求項１に記載のイソシアネート反応性成分。
【請求項５】
イソシアネート反応性成分の重量に基づいて少なくとも約４０重量％の植物油系ポリオールを含んでなる、請求項１に記載のイソシアネート反応性成分。
【請求項６】
非イオン性乳化剤は、アルコールまたはフェノール１当量当たり少なくとも約３０モルの重合したエチレンオキシド含量および約１７．５を超えるＨＬＢ値を有する、請求項１に記載のイソシアネート反応性成分。
【請求項７】
非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、請求項１に記載のイソシアネート反応性成分。
【請求項８】
イソシアネート反応性成分の重量に基づいて少なくとも約３重量％の非イオン性乳化剤を含んでなる、請求項１に記載のイソシアネート反応性成分。
【請求項９】
イソシアネート反応性成分は、約１０℃〜約４０℃の温度で少なくとも約３日間保存安定性である、請求項１に記載のイソシアネート反応性成分。
【請求項１０】
イソシアネート反応性成分の製造方法であって、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を混合することを含み、
該イソシアネート反応性成分は、約−１０℃〜約６０℃の温度で少なくとも約３日間保存安定性である、
方法。
【請求項１１】
植物油は、ヒマワリ油、菜種油、亜麻仁油、綿実油、キリ油、ヤシ油、ケシ油、トウモロコシ油、ヒマシ油、ピーナッツ油および大豆油から選択される、請求項１０に記載の方法。
【請求項１２】
植物油は大豆油である、請求項１０に記載の方法。
【請求項１３】
イソシアネート反応性成分の重量に基づいて少なくとも約３０重量％〜約４０重量％の植物油系ポリオールを含んでなる、請求項１０に記載の方法。
【請求項１４】
イソシアネート反応性成分の重量に基づいて少なくとも約４０重量％の植物油系ポリオールを含んでなる、請求項１０に記載の方法。
【請求項１５】
非イオン性乳化剤は、アルコールまたはフェノール１当量当たり少なくとも約３０モルの重合したエチレンオキシド含量および約１７．５を超えるＨＬＢ値を有する、請求項１０に記載の方法。
【請求項１６】
非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、請求項１０に記載の方法。
【請求項１７】
イソシアネート反応性成分の重量に基づいて少なくとも約３重量％の非イオン性乳化剤を含んでなる、請求項１０に記載の方法。
【請求項１８】
少なくとも一つのポリイソシアネートとイソシアネート反応性成分との反応生成物を含んでなるポリウレタンフォームまたはエラストマーであって、
該イソシアネート反応性成分は、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を含んでなり、
該イソシアネート反応性成分は、約−１０℃〜約６０℃の温度で少なくとも約３日間保存安定性である、
ポリウレタンフォームまたはエラストマー。
【請求項１９】
植物油は、ヒマワリ油、菜種油、亜麻仁油、綿実油、キリ油、ヤシ油、ケシ油、トウモロコシ油、ヒマシ油、ピーナッツ油および大豆油から選択される、請求項１８に記載のポリウレタンフォームまたはエラストマー。
【請求項２０】
植物油は大豆油である、請求項１８に記載のポリウレタンフォームまたはエラストマー。
【請求項２１】
イソシアネート反応性成分の重量に基づいて少なくとも約３０重量％〜約４０重量％の植物油系ポリオールを含んでなる、請求項１８に記載のポリウレタンフォームまたはエラストマー。
【請求項２２】
イソシアネート反応性成分の重量に基づいて少なくとも約４０重量％の植物油系ポリオールを含んでなる、請求項１８に記載のポリウレタンフォームまたはエラストマー。
【請求項２３】
非イオン性乳化剤は、アルコールまたはフェノール１当量当たり少なくとも約３０モルの重合したエチレンオキシド含量および約１７．５を超えるＨＬＢ値を有する、請求項１８に記載のポリウレタンフォームまたはエラストマー。
【請求項２４】
非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、請求項１８に記載のポリウレタンフォームまたはエラストマー。
【請求項２５】
イソシアネート反応性成分の重量に基づいて少なくとも約３重量％の非イオン性乳化剤を含んでなる、請求項１８に記載のポリウレタンフォームまたはエラストマー。
【手続補正２】
【補正対象書類名】明細書
【補正対象項目名】００４１
【補正方法】変更
【補正の内容】
【００４１】
本発明の上記の実施例は、本発明を制限する目的ではなく、例示の目的で提供される。本明細書に記載された実施態様は、本発明の精神および範囲を逸脱することなく、種々の方法で変形または修正され得ることは当業者には明らかである。本発明の範囲は、添付の特許請求の範囲によって判定すべきである。
本明細書の当初の開示は、少なくとも下記の態様を包含する。
〔１〕  イソシアネート反応性成分であって、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を含んでなり、
該イソシアネート反応性成分は、約−１０℃〜約６０℃の温度で少なくとも約３日間保存安定性である、
イソシアネート反応性成分。
〔２〕  植物油は、ヒマワリ油、菜種油、亜麻仁油、綿実油、キリ油、ヤシ油、ケシ油、トウモロコシ油、ヒマシ油、ピーナッツ油および大豆油から選択される、〔１〕に記載のイソシアネート反応性成分。
〔３〕  植物油は大豆油である、〔１〕に記載のイソシアネート反応性成分。
〔４〕  イソシアネート反応性成分の重量に基づいて少なくとも約３０重量％〜約４０重量％の植物油系ポリオールを含んでなる、〔１〕に記載のイソシアネート反応性成分。
〔５〕  イソシアネート反応性成分の重量に基づいて少なくとも約４０重量％の植物油系ポリオールを含んでなる、〔１〕に記載のイソシアネート反応性成分。
〔６〕  非植物油系ポリオールは、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、〔１〕に記載のイソシアネート反応性成分。
〔７〕  非植物油系ポリオールはポリエーテルポリオールである、〔１〕に記載のイソシアネート反応性成分。
〔８〕  非植物油系ポリオールはポリエステルポリオールである、〔１〕に記載のイソシアネート反応性成分。
〔９〕  非イオン性乳化剤は、アルコールまたはフェノール１当量当たり少なくとも約３０モルの重合したエチレンオキシド含量および約１７．５を超えるＨＬＢ値を有する、〔１〕に記載のイソシアネート反応性成分。
〔１０〕  非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、〔１〕に記載のイソシアネート反応性成分。
〔１１〕  イソシアネート反応性成分の重量に基づいて少なくとも約３重量％の非イオン性乳化剤を含んでなる、〔１〕に記載のイソシアネート反応性成分。
〔１２〕  イソシアネート反応性成分の重量に基づいて少なくとも約０．３重量％の一以上のシリコーン界面活性剤を含んでなる、〔１〕に記載のイソシアネート反応性成分。
〔１３〕  少なくとも約７日間の保存安定性を有する、〔１〕に記載のイソシアネート反応性成分。
〔１４〕  少なくとも約３０日間の保存安定性を有する、〔１〕に記載のイソシアネート反応性成分。
〔１５〕  イソシアネート反応性成分は、約１０℃〜約４０℃の温度で少なくとも約３日間保存安定性である、〔１〕に記載のイソシアネート反応性成分。
〔１６〕  イソシアネート反応性成分は、約１５℃〜約３５℃の温度で少なくとも約３日間保存安定性である、〔１〕に記載のイソシアネート反応性成分。
〔１７〕  イソシアネート反応性成分の製造方法であって、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を混合することを含み、
該イソシアネート反応性成分は、約−１０℃〜約６０℃の温度で少なくとも約３日間保存安定性である、
方法。
〔１８〕  植物油は、ヒマワリ油、菜種油、亜麻仁油、綿実油、キリ油、ヤシ油、ケシ油、トウモロコシ油、ヒマシ油、ピーナッツ油および大豆油から選択される、〔１７〕に記載の方法。
〔１９〕  植物油は大豆油である、〔１７〕に記載の方法。
〔２０〕  イソシアネート反応性成分の重量に基づいて少なくとも約３０重量％〜約４０重量％の植物油系ポリオールを含んでなる、〔１７〕に記載の方法。
〔２１〕  イソシアネート反応性成分の重量に基づいて少なくとも約４０重量％の植物油系ポリオールを含んでなる、〔１７〕に記載の方法。
〔２２〕  非植物油系ポリオールは、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、〔１７〕に記載の方法。
〔２３〕  非植物油系ポリオールはポリエーテルポリオールである、〔１７〕に記載の方法。
〔２４〕  非植物油系ポリオールはポリエステルポリオールである、〔１７〕に記載の方法。
〔２５〕  非イオン性乳化剤は、アルコールまたはフェノール１当量当たり少なくとも約３０モルの重合したエチレンオキシド含量および約１７．５を超えるＨＬＢ値を有する、〔１７〕に記載の方法。
〔２６〕  非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、〔１７〕に記載の方法。
〔２７〕  イソシアネート反応性成分の重量に基づいて少なくとも約３重量％の非イオン性乳化剤を含んでなる、〔１７〕に記載の方法。
〔２８〕  イソシアネート反応性成分の重量に基づいて少なくとも約０．３重量％の一以上のシリコーン界面活性剤を含んでなる、〔１７〕に記載の方法。
〔２９〕  イソシアネート反応性成分は、少なくとも約７日間の保存安定性を有する、〔１７〕に記載の方法。
〔３０〕  イソシアネート反応性成分は、少なくとも約３０日間の保存安定性を有する、〔１７〕に記載の方法。
〔３１〕  イソシアネート反応性成分は、約１０℃〜約４０℃の温度で少なくとも約３日間保存安定性である、〔１７〕に記載の方法。
〔３２〕  イソシアネート反応性成分は、約１５℃〜約３５℃の温度で少なくとも約３日間保存安定性である、〔１７〕に記載の方法。
〔３３〕  少なくとも一つのポリイソシアネートとイソシアネート反応性成分との反応生成物を含んでなるポリウレタンフォームまたはエラストマーであって、
該イソシアネート反応性成分は、
該イソシアネート反応性成分の重量に基づいて少なくとも約１０重量％の植物油系ポリオールと、
アルコールまたはフェノール１当量当たり少なくとも約２５モルの重合したエチレンオキシド含量および約１７を超えるＨＬＢ値を有する脂肪族アルコールエトキシレートおよび脂肪族フェノールエトキシレートの一つを含んでなる非イオン性乳化剤と、
一以上の非植物油系ポリオールと、
一以上のシリコーン界面活性剤と、
必要に応じて、水または他の発泡剤、触媒、顔料および充填剤と
を含んでなり、
該イソシアネート反応性成分は、約−１０℃〜約６０℃の温度で少なくとも約３日間保存安定性である、
ポリウレタンフォームまたはエラストマー。
〔３４〕  少なくとも一つのポリイソシアネートは、エチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−および−１，４−ジイソシアネート、１−イソシアナト−３，３，５−トリメチル−５−イソシアナトメチルシクロヘキサン（イソホロンジイソシアネート）、２，４−および２，６−ヘキサヒドロトルエンジイソシアネート、ジシクロヘキシルメタン−４，４’−ジイソシアネート（水素化ＭＤＩ、またはＨＭＤＩ）、１，３−および１，４−フェニレンジイソシアネート、２，４−および２，６−トルエンジイソシアネート（ＴＤＩ）、ジフェニルメタン−２，４’−および／または−４，４’−ジイソシアネート（ＭＤＩ）、ナフチレン−１，５−ジイソシアネート、トリフェニル−メタン−４，４’，４’’−トリイソシアネート、ポリフェニル−ポリメチレン−ポリイソシアネート（粗ＭＤＩ）、ノルボルナンジイソシアネート、ｍ−およびｐ−イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、尿素変性ポリイソシアネート、ビウレット含有ポリイソシアネート、イソシアネート末端プレポリマーおよびそれらの混合物から選択される、〔３３〕に記載のポリウレタンフォームまたはエラストマー。
〔３５〕  植物油は、ヒマワリ油、菜種油、亜麻仁油、綿実油、キリ油、ヤシ油、ケシ油、トウモロコシ油、ヒマシ油、ピーナッツ油および大豆油から選択される、〔３３〕に記載のポリウレタンフォームまたはエラストマー。
〔３６〕  植物油は大豆油である、〔３３〕に記載のポリウレタンフォームまたはエラストマー。
〔３７〕  イソシアネート反応性成分の重量に基づいて少なくとも約３０重量％〜約４０重量％の植物油系ポリオールを含んでなる、〔３３〕に記載のポリウレタンフォームまたはエラストマー。
〔３８〕  イソシアネート反応性成分の重量に基づいて少なくとも約４０重量％の植物油系ポリオールを含んでなる、〔３３〕に記載のポリウレタンフォームまたはエラストマー。
〔３９〕  非植物油系ポリオールは、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、〔３３〕に記載のポリウレタンフォームまたはエラストマー。
〔４０〕  非植物油系ポリオールはポリエーテルポリオールである、〔３３〕に記載のポリウレタンフォームまたはエラストマー。
〔４１〕  非植物油系ポリオールはポリエステルポリオールである、〔３３〕に記載のポリウレタンフォームまたはエラストマー。
〔４２〕  非イオン性乳化剤は、アルコールまたはフェノール１当量当たり少なくとも約３０モルの重合したエチレンオキシド含量および約１７．５を超えるＨＬＢ値を有する、〔３３〕に記載のポリウレタンフォームまたはエラストマー。
〔４３〕  非イオン性乳化剤は、アルコールまたはフェノール１当量当たり少なくとも約３５モルの重合したエチレンオキシド含量および約１８を超えるＨＬＢ値を有し、およびアルコールまたはフェノールの当量は、約１４０と約２５０との間である、〔３３〕に記載のポリウレタンフォームまたはエラストマー。
〔４４〕  イソシアネート反応性成分の重量に基づいて少なくとも約３重量％の非イオン性乳化剤を含んでなる、〔３３〕に記載のポリウレタンフォームまたはエラストマー。
〔４５〕  イソシアネート反応性成分の重量に基づいて少なくとも約０．３重量％の一以上のシリコーン界面活性剤を含んでなる、〔３３〕に記載のポリウレタンフォームまたはエラストマー。
〔４６〕  イソシアネート反応性成分は、少なくとも約７日間の保存安定性を有する、〔３３〕に記載のポリウレタンフォームまたはエラストマー。
〔４７〕  イソシアネート反応性成分は、約１０℃〜約４０℃の温度で少なくとも約３日間保存安定性である、〔３３〕に記載のポリウレタンフォームまたはエラストマー。
〔４８〕  イソシアネート反応性成分は、約１５℃〜約３５℃の温度で少なくとも約３日間保存安定性である、〔３３〕に記載のポリウレタンフォームまたはエラストマー。